(57)【特許請求の範囲】
【請求項１】
反射板体が、その反射面を上方に向けた状態で、支持部材から前記反射板体に向けて伸びる取付部材の先端に取り付けられることにより該取付部材を介して前記支持部材に支持されており、前記取付部材は、前記支持部材に支持された前記反射板体の不規則な方向への振れを許すべく変形可能であり且つ前記反射面が上方へ向く振れ位置に向けて前記反射板体を付勢する付勢力を該反射板体に付与しており、前記支持部材と前記反射板体との間には、前記反射面が下方へ向くことを防止すべく前記反射板体の振れを抑制するための振動抑制手段が設けられていることを特徴とする光反射装置。
【請求項２】
請求項１に記載の光反射装置において、前記取付部材は伸縮性を有する螺旋状に巻いたコイルスプリングであることを特徴とする光反射装置。
【請求項３】
請求項１又は２に記載の光反射装置において、前記取付部材は、前記反射板体を下方に吊り下げ支持するか、又は、上方に持ち上げ支持するかのいずれかであることを特徴とする光反射装置。
【請求項４】
請求項１ないし３のいずれか１項に記載の光反射装置において、前記振動抑制手段は、前記支持部材の一部が前記取付部材の中心に延在されているか、又は、前記支持部材の一部が前記反射板体に形成された孔部に貫通されているかのいずれかであることを特徴とする光反射装置。
【請求項５】
請求項１に記載の光反射装置において、複数の前記取付部材によって前記反射板体を下方に吊り下げ支持していることを特徴とする光反射装置。
【請求項６】
請求項１ないし５のいずれか１項に記載の光反射装置において、前記反射板体を回転させる回転手段を有していることを特徴とする光反射装置。
【請求項７】
請求項６に記載の光反射装置において、前記回転手段は前記反射板体に設けられた風を受ける羽根であることを特徴とする光反射装置。
【請求項８】
請求項１ないし７のいずれか１項に記載の光反射装置において、前記反射板体は、光ディスクにより形成されていることを特徴とする光反射装置。
【発明の詳細な説明】
【０００１】
【発明の属する分野】
この発明は、光を反射する反射面を有する反射板体を使用して、鳥類の飛来や猫等小動物の近寄りを防いでこれらの被害を防止したり、山間部の鉄塔等に取り付けてハングライダー等の目印に利用する光反射装置に関するものである。
【０００２】
【従来技術】
以前から、カラスやスズメ等の鳥類によって、畑の作物が荒らされたり、ベランダが糞で汚されたり、さらには集積したごみが散乱させられたりする被害が生じていた。また、送配電線用鉄塔や電柱等に営巣してメンテナンスの障害になることもあった。
【０００３】
従来、上記のような鳥類による被害（以下、鳥害という）を防止するために、コンピュータ用や音楽用のコンパクトディスク（以下、ＣＤという）の周縁部近傍に単に穴を設けて紐を通し、軒先等に吊り下げて鳥類の飛来を防ぐものが考えられている。
【０００４】
これは、吊り下げられたＣＤの表面による太陽光等の反射光で鳥類の視覚に刺激を与え、鳥類に嫌悪や恐怖等を感じさせ、鳥類の飛来を防止するものである。
【０００５】
また、図６に示すように、ＬＤ板２の反射面１ａを鉛直に保持したものが知られている。このＬＤ板２は、互いに反射面１ａを外側に向けた一対のレーザーディスク（以下、ＬＤという）１、１を貼り合わせて形成されている。
【０００６】
そして、このＬＤ板２の直径上の周縁部近傍には、ＬＤ１の中心を挟んだ一対の穴３、３が設けられ、各穴３、３にはそれぞれ捩れ防止機構を備えた取付金具４、４が取り付けられている。したがって、この取付金具４、４を介して、ＬＤ板２は電柱等の取付部５に回転可能に取り付けられている。
【０００７】
これは、上述のＣＤを吊り下げたものと同様に、ＬＤ板２の反射面１ａによる太陽光等の反射光の刺激によって、鳥類の飛来を防止するものである。
【０００８】
さらに、図７に示すように、水平に延在された取付部８に支持棒６を鉛直に設け、この支持棒６によって反射面７ａを上方に向けたＬＤ７を保持したものが知られている。
【０００９】
支持棒６は、上下方向中間部に複数の羽根６ａを有する筒部６ｄが、取付部８に鉛直に固定された支持軸６ｃに一対のベアリング６ｂ、６ｂで支持されて回転自在に設けられている。
【００１０】
そして、ＬＤ７は、ほぼ中心を貫通した筒部６ｄの上方に設けられた取付金具９を介して、所定の角度傾斜した状態に保持されている。
【００１１】
これも、上述の場合と同様に、ＬＤ７の反射面７ａによって太陽光等を反射させて鳥類の視覚を刺激し、鳥類の飛来を防止するものである。
【００１２】
ここで、ＬＤ７の反射面７ａが傾斜をした状態で上方に向けられていると共に、羽根６ａが風を受けて、筒部６ｄ及びこの筒部６ｄに取り付けられているＬＤ７を回転させるので、このＬＤ７が回転した際に反射光が変化して上空にいる鳥類に刺激を与えることができる。
【００１３】
【発明が解決しようとする課題】
しかしながら、上述のＣＤを吊り下げたもの、あるいはＬＤを垂直に保持したものでは、ＣＤ及びＬＤの反射面が垂直に保持されており、反射面に当たった太陽光等をほぼ水平方向に向かって反射していた。そのため、周囲の住民や通行人等にも反射光が当たり、この反射光の眩しさで迷惑をかけることがあった。
【００１４】
さらに、ＬＤの反射面を傾斜した状態で上方に向けて回転自在に保持したものでは、反射方向をある所定の間隔で変化させながら上方に向けて反射させているが、重量が重いためにＬＤが回転しにくく、反射方向を不規則に変化させることが困難であった。
【００１５】
そのため、次第に鳥類が反射光の刺激に慣れてしまい、太陽光等を反射しても嫌悪や恐怖感等を感じなくなって、長期間使用していると鳥害が再発するおそれもあった。
【００１６】
また、羽根６ａ及び取付金具９を筒部６ｄに溶接によって接続しており、構造が複雑で加工性が悪く、製造コストが高くなる問題が生じていた。
【００１７】
したがって、この発明は、上方に向かって不規則な反射光を生ずると共に、製造コストを抑制できる光反射装置を提供することを目的としている。
【００１８】
【課題を解決するための手段】
上記課題を解決するために、請求項１の発明は、反射板体が、その反射面を上方に向けた状態で、支持部材から前記反射板体に向けて伸びる取付部材の先端に取り付けられることにより該取付部材を介して前記支持部材に支持されており、前記取付部材は、前記支持部材に支持された前記反射板体の不規則な方向への振れを許すべく変形可能であり且つ前記反射面が上方へ向く振れ位置に向けて前記反射板体を付勢する付勢力を該反射板体に付与しており、前記支持部材と前記反射板体との間には、前記反射面が下方へ向くことを防止すべく前記反射板体の振れを抑制するための振動抑制手段が設けられていることを特徴としている。
【００１９】
請求項１の発明によれば、反射板体が反射面を上方に向けた状態で支持されているので、反射面に入射した光を上方に向かって反射させることができる。そして、周囲の住民や通行人等に反射光を当てず、この反射光の眩しさで迷惑をかけることも少ない。
【００２０】
また、この反射板体が支持部材に振れ自在に取り付けられているので、僅かな風や振動でも取付部材が不規則な振れ運動をして、反射板体の反射面を不規則な方向に向けることが可能となり、不規則な反射光を生ずることができる。これにより、鳥類が反射光に慣れることがなく、長期間使用しても鳥害の再発を確実に防止することが可能である。
【００２１】
そして、反射板体を取付部材によって支持部材に取り付けているだけなので、構造が簡易で、製造コストを抑制することができる。
【００２２】
したがって、上方に向かって不規則な反射光を生ずると共に、製造コストを抑制できる光反射装置を提供することができる。
【００２３】
また、支持部材と反射板体との間に振動抑制手段を設けたので、反射板体が必要以上に振動することが防止され、周囲の住民や通行人等に反射光を当てて迷惑をかけることは少ない。また、強風等の強い力によって反射板体が振れすぎて、破損等が生じることも防止できる。
【００２４】
請求項２の発明は、前記取付部材は伸縮性を有する螺旋状に巻いたコイルスプリングであることを特徴としている。
【００２５】
請求項２の発明によれば、請求項１の効用に加え、取付部材がコイルスプリングであるので、市場に出回っている製品を流用することができて製造コストを抑制することが可能となる。
【００２６】
請求項３の発明は、請求項１又は２に記載の光反射装置において、前記取付部材は、前記反射板体を下方に吊り下げ支持するか、又は、上方に持ち上げ支持するかのいずれかであることを特徴としている。
【００２７】
請求項３の発明によれば、請求項１又は２の効用に加え、反射板体が取付部材によって吊り下げ支持されるか、又は、持ち上げ支持されているので、簡易な構造で反射板体を振れ自在に支持することができ、反射板体の反射面を不規則な方向に向けることが可能となって不規則な反射光を生ずることができる。
【００２８】
請求項４の発明は、請求項１ないし３のいずれか１項に記載の光反射装置において、前記振動抑制手段は、前記支持部材の一部が前記取付部材の中心に延在されているか、又は、前記支持部材の一部が前記反射板体に形成された孔部に貫通されているかのいずれかであることを特徴としている。
【００２９】
請求項４の発明によれば、請求項１ないし３の効用に加え、振動抑制手段は、支持部材の一部が取付部材の中心に延在しているか、又は、反射板体に形成した孔部に貫通しているかのいずれかであるので、構造が簡易であると共に、確実に反射板体の振動を抑制することができる。
【００３０】
また、振動抑制手段が、支持部材の一部を反射板体に形成した孔部に貫通させている場合では、反射板体が支持部材から抜けずに脱落すること等が防止できる。
【００３１】
請求項５の発明は、請求項１に記載の光反射装置において、複数の前記取付部材によって前記反射板体を下方に吊り下げ支持していることを特徴としている。
【００３２】
請求項５の発明によれば、請求項１の効用に加え、請求項１の効用に加え、反射板体が複数の取付部材によって吊り下げ支持されているので、取付部材の数や取付位置、強度、長さ等を調節することにより、反射板体の振動方向を容易に変化させることが可能となる。
【００３３】
請求項６の発明は、請求項１ないし５のいずれか１項に記載の光反射装置において、前記反射板体を回転させる回転手段を有していることを特徴としている。
【００３４】
請求項６の発明によれば、請求項１ないし５の効用に加え、反射板体が回転手段によって回転させられるので、この反射板体はさらに不規則な方向に反射して、不規則な反射光を生ずることができる。
【００３５】
請求項７の発明は、請求項６に記載の光反射装置において、前記回転手段は前記反射板体に設けられた風を受ける羽根であることを特徴としている。
【００３６】
請求項７の発明によれば、請求項６の効用に加え、回転手段が反射板体に設けた羽根であるので、構造が簡易になって製造コストを抑制できると共に、動力を用いなくとも反射板体を回転させることが可能となってランニングコストも低減できる。
【００３７】
請求項８の発明は、請求項１ないし７のいずれか１項に記載の光反射装置において、前記反射板体は、光ディスクにより形成されていることを特徴としている。
【００３８】
請求項８の発明によれば、請求項１ないし７の効用に加え、反射板体を光ディスクによって形成しているので、市場に出回っている製品を流用することが可能となり、製造コストを抑制することができる。さらに、使用済みの光ディスクを用いて反射板体を形成する場合では、コストダウンだけでなく、資源の再利用を図ることができて環境保護に役立つことにもなる。
【００３９】
請求項９の発明によれば、請求項１ないし８の効用に加え、反射板体を光ディスクによって形成しているので、市場に出回っている製品を流用することが可能となり、製造コストを抑制することができる。さらに、使用済みの光ディスクを用いて反射板体を形成する場合では、コストダウンだけでなく、資源の再利用を図ることができて環境保護に役立つことにもなる。
【００４０】
【発明の実施の形態】
以下、実施の形態を示す図面に基づいてこの発明を説明する。
【００４１】
＜実施の形態１＞
この発明の実施の形態１は図１及び図２に示される。
【００４２】
図中１０は光反射装置で、支持部材１２に装着された取付部材、例えばコイルスプリング１３の上端に係止部材１４を介して反射板体１１が振れ自在に支持されている。
【００４３】
支持部材１２は、取付面Ｔに固定される台座部１２ａに支持部本体１２ｂを垂直に立てて形成されている。
【００４４】
台座部１２ａは、下方に開いた低円筒形状を呈した鉄等の磁性金属板によって、例えばプレス成形され、内側には図示しない磁石が接着剤等で貼着されている。
【００４５】
支持部材１２の一部である支持部本体１２ｂは円柱状の合成樹脂により形成され、台座部１２ａに図示しないボルト或いは接着剤等を用いて固着されている。
【００４６】
そして、この支持部本体１２ｂは上方に向かって段階的に細くされており、細くされた先端部を振動抑制部１２ｃとし、太くされた下端部外周にネジ溝１２ｄが形成されている。
【００４７】
また、取付部材は、螺旋状に巻いたコイルスプリング１３であり、金属性でも良いが、絶縁性を考慮する場合では合成樹脂製であることが好ましい。なお、ここでは合成樹脂製である。
【００４８】
このコイルスプリング１３は、両端部が密に巻かれ、中間部が粗く巻かれており、その内径は、振動抑制部１２ｃの外径よりも大きく、支持部本体１２ｂ下端部の外径、及び、後述する係止部材１４の外径よりも小さな大きさで全長に渡って均一に形成されている。
【００４９】
そして、係止部材１４は、外周にネジ溝１４ｃが形成され、上端面に凸部１４ｂが形成された円柱の基体１４ａと、この基体１４ａの上端面に取り付けられる蓋体１４ｄとで構成されている。
【００５０】
なお、凸部１４ｂは、反射板体１１の中心に形成された孔部１１ｂに嵌合されるもので、この孔部１１ｂの内径にほぼ等しい外径と、反射板体１１の厚みにほぼ等しい高さとを備えている。
【００５１】
さらに、反射板体１１は、ここでは、コンパクトディスク（ＣＤ）であり、記録読み取り面側が反射面１１ａにされている。そして、この反射面１１ａは特殊なコーティング、例えば黄金色等の効果色に着色されている。なお、この効果色とは鳥類が嫌悪する色である。
【００５２】
そして、コイルスプリング１３は、その一方の端部を振動抑制部１２ｃに挿通してから、支持部本体１２ｂ下端部の外周に形成された溝部１２ｄに沿って拡径しながらねじ込むことにより、支持部材１２に装着されている。
【００５３】
また、係止部材１４は、基体１４ａの外周に形成されたネジ溝１４ｃにコイルスプリング１３の他方の端部を拡径しながら螺合させることにより、コイルスプリング１３に装着されている。
【００５４】
そして、反射板体１１はその反射面１１ａを上方に向けた状態で、係止部材１４の凸部１４ｂに孔部１１ｂが嵌合され、基体１４ａの上端面と蓋体１４ｄとの間に挟着固定されている。
【００５５】
この光反射装置１０をベランダ等に取り付けるには、支持部材１２の台座部１２ａを水平な取付面Ｔに固定する。
【００５６】
例えば、取付面Ｔが磁性金属製の場合には、支持部材１２に内蔵された磁石が生ずる磁力により取付面Ｔに容易に固定することができる。なお、この取付面Ｔが磁性金属製でない場合や平面状でない場合、さらに確実に固定する場合等では、台座部１２ａを取付面Ｔにネジ止めしたり、バンド等で固定しても良い。
【００５７】
このように取り付けられた光反射装置１０は、反射板体１１の反射面１１ａが上方を向いており、太陽光等が入射した際に、上方に向かって反射することができる。そのため、周囲の住民や通行人等に反射光を当てず、この反射光の眩しさで迷惑をかけることも少ない。
【００５８】
そして、風や振動等によってコイルスプリング１３が撓んで反射板体１１が振られる。ここで、コイルスプリング１３が撓む方向は風等の力の付加方向によって非常に不規則となるため、反射板体１１の振られ方向も不規則となり、不規則な反射光を生じることができる。
【００５９】
したがって、鳥類が飛来しやすい送配電線用鉄塔や電柱、ベランダ、物干し竿、ごみ収集場、田、畑、果樹園等にこの光反射装置１０を取り付け、太陽光等を反射させて鳥類に刺激を与え、鳥類の飛来防止を可能としている。
【００６０】
また、この反射による視覚的な刺激は、犬、猫、ねずみ等にも有効である。そのため、玄関先等にこの光反射装置１０を取り付けて、上記の小動物を追い払うことも可能である。
【００６１】
そして、反射板体１１の振られ方向が不規則で反射光を不規則に変化させることができ、この光反射装置１０を長期間使用しても、鳥類が反射光に慣れずに、鳥類の飛来を防止し続けることが可能である。
【００６２】
さらに、このコイルスプリング１３は中間部が粗く巻かれていて横揺れがしやすく、また上下方向に伸縮することもできるので、反射板体１１の振られ方向を不規則にすることが非常に容易になっている。
【００６３】
なお、このコイルスプリング１３の強度や太さ等を調整することによって反射板体１１の振られ具合が調節でき、不規則な反射光を容易に生ずることができる。
【００６４】
そして、強風等の強い力をコイルスプリング１３が受けた場合では、コイルスプリング１３の中心に挿入された振動抑制部１２ｃによって、このコイルスプリング１３の撓み過ぎが防止できる。したがって、反射板体１１の反射方向を所望の範囲内に収めて、反射面１１ａが不必要に側方や下方に向くことが防止できると共に、コイルスプリング１３が撓みすぎて破損等が生じるおそれもなくなる。
【００６５】
また、ここでは、コイルスプリング１３等が合成樹脂により形成されており、電気的絶縁性が確保されて電柱等にも安心して取り付けることができる。
【００６６】
一方、この光反射装置１０は、構造が簡易で、容易に組み立てることができるため、製造コストを抑制することが可能と共に、故障の発生を低減できて信頼性の向上も図ることができる。
【００６７】
また、取付部材はコイルスプリング１３であり、一般的に流通している製品を転用することにより製造コストを抑制することができる。
【００６８】
さらに、反射板体１１には光ディスクであるＣＤを利用しているので、一般的に流通している製品を転用することにより製造コストを抑制することができる。また、使用済みのＣＤを使用すればコストダウンだけでなく、資源の再使用も図ることができ、環境保護にも役立つこととなる。
【００６９】
また、この反射板体１１は、金属板で形成される場合よりも軽量化を図ることが可能となり、光反射装置１０を所望の位置に取り付けることが容易になる。
【００７０】
＜実施の形態２＞
この発明の実施の形態２は図３に示される。なお、前記実施の形態１と同一ないし均等な部分については同一の名称を用い、重複説明は省略する。
【００７１】
図中２０は光反射装置で、支持バネ２５の中央を貫通した支持部材２２の上端部に取付部材、例えばコイルスプリング２３が取り付けられ、この取付部材の下端に係止部材２４を介して、反射板体２１が振れ自在に支持されている。
【００７２】
支持部材２２は、取付面Ｔに固定される台座部２２ａに支持部本体２２ｂを垂直に立て、その支持部本体２２ｂの上端部に先端吊り部２２ｃを設けて形成されている。
【００７３】
支持部材２２の一部である支持部本体２２ｂは、アルミニウムや鉄等の金属や合成樹脂等の棒状体で、台座部２２ａに図示しないボルト或いは接着剤等を用いて固着されている。
【００７４】
そして、この支持部本体２２ｂは下端部が太く形成されており、この太くされた下端部の外周にはネジ溝２２ｅが形成されている。また、この支持部本体２２ｂの中間部から上端部までは振動抑制部２２ｄとされている。
【００７５】
先端吊り部２２ｃは、合成樹脂等で形成され、外周にネジ溝２２ｆが形成された円柱形状を呈している。この先端吊り部２２ｃは支持部本体２２ｂの振動抑制部２２ｄの上端部に図示しないボルト等で着脱自在に固定されている。
【００７６】
支持バネ２５は、合成樹脂製のコイルスプリングであり、全長に渡って支持部本体２２ｂの下端部外径よりも小さい内径で、下部が密に巻かれ、上部が粗く巻かれている。また、この支持バネ２５は支持部本体２２ｂの太くされた下端部よりも長い自然長を有している。
【００７７】
取付部材は、ここでは、合成樹脂製のコイルスプリング２３であり、先端吊り部２２ｃの外径よりも小さい内径で、全長に渡って均一に巻かれている。
【００７８】
そして、係止部材２４は、反射板体２１の中心に形成された孔部２１ｂに挿通される筒軸部２４ａと、この筒軸部２４ａに一体に形成されたフランジ部２４ｂとを有し、筒軸部２４ａの周面に形成されたネジ溝には、Ｃ型ワッシャ２４ｃを介してリング２４ｄが螺合されている。
【００７９】
さらに、反射板体２１は、コンパクトディスク（ＣＤ）であり、記録読み取り面側が反射面２１ａにされている。
【００８０】
そして、この反射面２１ａには断面Ｌ字状に曲折された合成樹脂板等からなる風向け板２１ｃが接着剤や図示しないボルト等を用いて固着されている。
【００８１】
また、この反射板体２１の反射面２１ａの裏面側には、樹脂シート等で形成された補強シール２１ｄが一面に貼着されている。そして、この反射板体２１の外周縁には合成樹脂等で形成された端部補強リング２１ｅがそれぞれ設けられている。
【００８２】
そして、支持バネ２５は、振動抑制部２２ｄに貫通されてから、支持部本体２２ｂの太くされた下端部外周に形成されたネジ溝２２ｅに沿って、密に巻かれた下部を拡径しながらねじ込むことにより支持部材２２に装着されている。
【００８３】
また、反射板体２１は、コイルスプリング２３の一方の端部を反射板体２１の孔部２２ｂ近傍とＣ型ワッシャ２４ｃとの間に挟み込んで、リング２４ｄで挟着固定することにより、その反射面２１ａを上方に向けた状態でコイルスプリング２３に取り付けられている。
【００８４】
そして、先端吊り部２２ｃは、反射板体２１の孔部２１ｂ及びコイルスプリング２３を貫通した振動抑制部２２ｄの上端部に固定されている。
【００８５】
さらに、コイルスプリング２３は、他方の端部を先端吊り部２２ｃの外周に形成されたネジ溝２２ｆに拡径しながら螺合させることにより支持部材２２に装着され、螺合したコイルスプリング２３の上からキャップ２２ｇが螺合されて固定されている。なお、ここでは、キャップ２２ｇは締め付け式のパイプバンドである。
【００８６】
この光反射装置２０をベランダ等に取り付けるには、支持部材２２の台座部２２ａを取付面Ｔに磁力やボルト、バンド等で固定する。
【００８７】
この光反射装置２０は、反射板体２１の反射面２１ａが上方を向いており、太陽光等が入射した際に、上方に向かって反射することができる。そのため、周囲の住民や通行人に反射光を当てず、この反射光の眩しさで迷惑をかけることも少ない。
【００８８】
そして、風や振動等によってコイルスプリング２３が撓んで反射板体２１が振られる。ここで、コイルスプリング２３が撓む方向は風等の力の付加方向によって非常に不規則となるため、反射板体２１の振られ方向も不規則となり、不規則な反射光を生じることができる。
【００８９】
したがって、この光反射装置２０を、鳥類が飛来しやすいベランダ等に取り付けて、太陽光等を反射させて鳥類に刺激を与え、鳥類の飛来防止を可能としている。
【００９０】
また、反射面２１ａ上に設けられた風受け板２１ｃに風等が当接すると、コイルスプリング２３が撓みやすくなり、僅かな風等であっても不規則な反射光を生じることができる。
【００９１】
そして、強風等の強い力をコイルスプリング２３が受けた場合では、コイルスプリング２３及び反射板体２１を貫通している振動抑制部２２ｄによって、このコイルスプリング２３の撓み過ぎを防止するとともに、反射板体２１の左右方向への移動範囲を制限することができる。
【００９２】
さらに、下方に向かってこのコイルスプリング２３が強い力を受けた場合であっても、支持バネ２５によって反射板体２１が支持されて下方に向かう強い力が緩和される。このため、コイルスプリング２３が強い力で下方に引っ張られることがなくなり、破損等を防止することができる。
【００９３】
また、この反射板体２１の反射面の２１ａの裏面側に貼着された補強シール２１ｄと、反射板体２１の外周縁に設けられた端部補強リング２１ｅとによって反射板体２１が補強され、反射板体２１の破損を防止することができる。
【００９４】
特に塩分等を含有する潮風等に長期間さらされた場合であっても、補強シール２１ｄや端部補強リング２１ｅによって反射面２１ａの裏面側に塗布された反射材の劣化や腐食を防ぐことができる。
【００９５】
＜実施の形態３＞
この発明の実施の形態３は図４に示される。なお、前記実施の形態１及び２と同一ないし均等な部分については同一の名称を用い、重複説明は省略する。
【００９６】
図中３０は光反射装置で、支持部材３２の上端部に取り付けられた複数の取付部材、例えばコイルスプリング３３の下端にそれぞれ係合された係合金具３４を介して反射板体３１が振れ自在に支持されている。
【００９７】
支持部材３２は、水平方向に延在した取付面Ｔに垂直に固定された支持軸３２ａの先端に、図示しないベアリングを介して先端金具３２ｂを回転自在に取り付けて形成されている。
【００９８】
支持軸３２ａはアルミニウムや鉄等の金属や合成樹脂等の棒状体で、下端部外周に所定長さのナット３２ｃが設けられている。
【００９９】
また、支持軸３２ａの中間部には、振動抑制部としての筒状の緩衝材３２ｄが設けられている。この緩衝材３２ｄはスポンジや硬質ゴム等で形成され、接着剤等で固着されたり、支持軸３２ａの外周に形成された図示しない細径部分に嵌合させたりして設けられている。
【０１００】
先端金具３２ｂの周縁部には、水平方向に突出するフランジ３２ｅが形成され、このフランジ３２ｅには３個のリング３２ｆが等間隔に設けられている。なお、この先端金具３２ｂは、支持軸３２ａの上端部に回転自在に遊嵌されていてもよい。
【０１０１】
また、取付部材は、ここでは、金属製の３本のコイルスプリング３３であり、各コイルスプリング３３は、それぞれ全長に渡って同一の内径で均一に巻かれ、すべて同じ長さに形成されている。
【０１０２】
そして、係合金具３４は、各コイルスプリング３３に対応して反射板体３１の同一円周に沿って等間隔に３個設けられている。各係合金具３４は、下端が反射板体３１を貫通してリベット等により固定され、反射板体３１の反射面３１ａ側に突出した上端が環状に形成されている。
【０１０３】
さらに、反射板体３１は、ここでは、レーザーディスク（ＬＤ）であり、記録読み取り面側が反射面３１ａにされている。そして、この反射面１１ａは特殊なコーティング、例えば黄金色等の効果色に着色されている。
【０１０４】
この反射板体３１の反射面３１ａの裏面側には、図示しないボルト或いは接着剤等を用いて回転手段としての複数の羽根３１ｃが固着されている。ここでは、３枚の羽根３１ｃが同一方向に曲折されて断面Ｌ字状に形成され、それぞれ係合金具３４が設けられた位置を通る反射板体３１の半径に沿って固着されている。
【０１０５】
そして、各コイルスプリング３３は、それら一方の端部がフランジ３２ｅに設けられた複数のリング３２ｆに係合して支持部材３２に装着されている。
【０１０６】
さらに、各コイルスプリング３３は、支持軸３２ａの下端部を反射板体３１の中央に形成された孔部３１ｂに挿通してから、反射板体３１に設けられた係合金具３４の環状にされた上端に、それぞれ他方の端部を係合することにより、反射板体３１が装着されている。
【０１０７】
そして、反射板体３１はその反射面３１ａを上方に向けた状態で、各コイルスプリング３３により水平状態に吊り下げ支持され、孔部３１ｂの内周縁には緩衝材３２ｄが対向している。
【０１０８】
この光反射装置１０をベランダ等に取り付けるには、支持部材３２の支持軸３２ａを取付面Ｔに固定する。
【０１０９】
例えば、あらかじめ貫通孔が形成された取付部ｔが電柱等から水平に突出している場合には、支持軸３２ａの下端部をこの貫通孔に挿通した後に、上下にナット３２ｃ、３２ｃを螺合することにより容易に固定することができる。
【０１１０】
このように取り付けられた光反射装置３０は、反射板体３１の反射面３１ａが上方を向いており、太陽光等がこの反射面３１ａに入射した際に、入射光を上方に向かって反射することができる。そのため、周囲の住民や通行人に反射光が当たることはなく、反射板体３１の眩しさで迷惑になることも少ない。
【０１１１】
そして、風や振動等によって各コイルスプリング３３が撓んで反射板体３１が振られる。ここで、各コイルスプリング３３が撓む方向は風等の力の付加方向によって非常に不規則となるため、反射板体３１の振られ方向も不規則となり、不規則な反射光を生じることができる。
【０１１２】
したがって、鳥類が飛来しやすい送配電鉄塔を中心とした電力設備、鶏舎、養豚場等にこの光反射装置３０を取り付けて、太陽光等の光を反射させて鳥類に刺激を与え、鳥類の飛来防止を可能としている。
【０１１３】
また、この光反射装置３０の反射板体３１は、比較的大型のＬＤにより形成されているため、上空を飛行するハングライダー等からでも識別でき、障害物や目標物等の表示として鉄塔や着地場等に取り付けて使用することもできる。
【０１１４】
そして、反射板体３１の振られ方向が不規則で、反射光を不規則に変化させることができ、この光反射装置３０を長期間使用しても、鳥類が反射光に慣れずに、鳥類の飛来を防止し続けることが可能である。
【０１１５】
また、コイルスプリング３３が複数あるので、反射板体３１の水平状態を容易に崩すことができて、振られ方向が変化しやすくなり、反射光を不規則な変化にさせやすくなる。
【０１１６】
そして、強風等の強い力を各コイルスプリング３３が受けた場合であっても、反射板体３１の孔部３１ｂに挿通された支持軸３２ａが反射板体３１の左右方向の移動範囲を制限し、コイルスプリング３３の撓み過ぎを防止して、コイルスプリング３３が破損等するおそれもなくなる。
【０１１７】
また、この支持軸３２ａによって反射板体３１の反射面３１ａが不必要に側方や下方に向くことも防止され、反射面３１ａの反射方向を所望の範囲内に収めることができる。
【０１１８】
さらに、風力が一定以上になった場合では、反射板体３１が傾いた状態で支持軸３２ａに保持されて回転せず、強風の際に反射板体３１が脱落する等のおそれがなくなって強風に対する信頼性が向上する。
【０１１９】
そして、この反射板体３１の孔部３１ｂの内周縁が支持軸３２ａに接触しても、緩衝材３２ｄによって衝撃が緩衝され、騒音等の発生を抑制すると共に、反射板体３１の傷つき等を防止することができる。
【０１２０】
また、支持軸３２ａの外周面からの緩衝材３２ｄの突出高さを調整することにより、反射板体３１の左右方向の移動範囲を容易に制限することができる。
【０１２１】
そして、この反射板体３１は、複数の羽根３１ａが風を受けることにより支持部材３２に設けられた先端金具３２ｂごと回転させられ、さらに不規則な方向に向かって太陽光等を反射させることが可能となる。
【０１２２】
一方、この鳥害防止構造３０は構造が簡易で、溶接工程も不要であるため容易に組み立てることができ、製造コストを抑制することが可能となる。また、部品点数も少なく、故障の発生を低減でき、信頼性を向上することもできる。
【０１２３】
また、取付部材としてコイルスプリング３３を利用しており、一般的に流通している製品を転用することにより製造コストを抑制することができる。
【０１２４】
さらに、反射板体３１には光ディスクであるＬＤを利用しており、好適な反射光を容易に生ずることができる反射板体３１を得ることができる。また、使用済みのＬＤを使用すればコストダウンだけでなく、資源の再使用も図ることができ、環境保護にも役立つこととなる。
【０１２５】
＜実施の形態４＞
この発明の実施の形態４は図５に示される。なお、前記実施の形態１ないし３と同一ないし均等な部分については同一の名称を用い、重複説明は省略する。
【０１２６】
図中４０は光反射装置で、支持部材４２の上端部に取り付けられた複数の取付部材、ここでは、一対のコイルスプリング４３及び、一対の鎖４５のそれぞれの下端に係合された係合金具４４を介して反射板体４１が振れ自在に支持されている。
【０１２７】
この支持部材４２は支持軸４２ａの上端部に先端金具４２ｂが回転自在に取り付けられ、先端金具４２ｂは、水平方向に突出したフランジ部４２ｅの周縁部に等間隔に配置されたリング４２ｆが４個設けられている。
【０１２８】
また、取付部材は、螺旋状に巻いて伸縮性を有する２本のコイルスプリング４３、４３と、伸縮しない２本の鎖４５、４５である。
【０１２９】
このコイルスプリング４３、４３の自然長及び鎖４５、４５の全長は、ほぼ同一の長さに形成されている。
【０１３０】
そして、コイルスプリング４３、４３及び鎖４５、４５は、その一方の端部がフランジ４２ｅに設けられたリング４２ｆにそれぞれ係合して支持部材４２に装着されている。
【０１３１】
このとき、コイルスプリング４３と鎖４５とが直交するように交互に装着され、支持軸４２ａを挟んでコイルスプリング４３、４３同士及び、鎖４５、４５同士が対向している。
【０１３２】
また、支持軸４２ａの下端部を反射板体４１の中央に形成された孔部４１ｂに挿通してから、反射板体４１の同一円周上に設けられた係合金具２４の環状にされた上端に、それぞれコイルスプリング４３、４３及び鎖４５、４５の他方の端部を係合することにより、コイルスプリング４３、４３及び鎖４５、４５に反射板体４１が装着されている。
【０１３３】
ここで、反射板体４１はその反射面４１ａを上方に向けた状態で、コイルスプリング４３、４３及び鎖４５、４５により水平状態に吊り下げ支持されている。
【０１３４】
そして、風や振動等によって各コイルスプリング４３、４３が撓んで反射板体２１が振られる。このとき、上下方向に伸縮することができるコイルスプリング４３と、伸縮しない鎖４５とが交互に配置されているので、一方のコイルスプリング４３が伸びると他方のコイルスプリング４３は相対的に縮むこととなり、反射板体２１の振られ方向が非常に不規則になる。そのため、反射方向も不規則になることができる。
【０１３５】
また、各コイルスプリング４３、４３又は各鎖４５、４５のそれぞれの長さを不揃いにして、静止状態において反射板体４１が傾くように装着してもよい。
【０１３６】
このように、反射板体４１をあらかじめ傾いた状態で装着することで、反射方向をさらに不規則にすることが可能となる。
【０１３７】
なお、複数の係合金具４４を同一円周上に設けずに、それぞれ所望の位置に設けても反射板体４１が静止状態において傾き、反射方向を容易に不規則にすることができる。
【０１３８】
また、反射板体４１の反射面４１ａの裏面側に設けた複数の羽根４１ｃの大きさを不揃いにしたり、配設位置を片寄らせたりしても、反射板体４１が静止状態において傾き、反射方向を容易に不規則にすることができる。
【０１３９】
＜実施の形態５＞
この発明の実施の形態５は図６に示される。なお、前記実施の形態１ないし４と同一ないし均等な部分については同一の名称を用い、重複説明は省略する。
【０１４０】
図中５０は光反射装置で、支持部材５２の上端部に取り付けられた複数の取付部材、例えば、鎖５５の下端にそれぞれ係合された係合金具５４を介して反射板体５１が振れ自在に支持されている。
【０１４１】
ここで取付部材は、伸縮性を有さない４本の金属製の鎖５５であり、等間隔をおいて支持部材５２に一方端がそれぞれ装着されている。
【０１４２】
この鎖５５は全長が比較的短く形成されると共に支持部材５２を挟んで対向した一対の短鎖５５ａ、５５ａと、全長が比較的長く形成されると共に支持部材を挟んで対向した長鎖５５ｂ、５５ｂとからなる。
【０１４３】
そして、反射板体５１の同一円周上に設けられた係合金具５４の環状にされた上端に、それぞれ鎖５５の他方の端部を係合することにより、反射板体５１が水平状態に装着されている。
【０１４４】
一方、反射板体５１の中心部に形成された孔部５１ｂの内周縁には、合成樹脂製の緩衝カバー５１ｃが装着されている。
【０１４５】
そして、風や振動等によって反射板体５１が振られると、短鎖５５ａの一方が下方に向けられ、相対的に他方の短鎖５５ａが上方に持ち上げられることとなり、反射板体５１の水平状態が容易に崩れて、反射板体５１の反射方向が不規則になることができる。
【０１４６】
また、長鎖５５ｂ、５５ｂによって、必要以上に反射板体５１が振られることが防止でき、反射板体５１の破損等を防止することができる。さらに、外観が堅強になり外観品質の向上を図ることもできる。
【０１４７】
そして、反射板体５１が強風等の強い力を受けて、支持部材５２に孔部５１ｂの内周縁が接触しても緩衝カバー５１ｃにより衝撃が緩和され、騒音等の発生を抑制すると共に、反射板体５１の破損等を防止することができる。
【０１４８】
以上、この発明の実施の形態１ないし５を図面により詳述してきたが、具体的な構成は上述の実施の形態に限らず、この発明の要旨を逸脱しない範囲の設計の変更等があってもこの発明に含まれる。
【０１４９】
例えば、反射板体は、ＤＶＤやＭＤ等の光ディスクや、ＭＯ等の光磁気ディスクであってもよく、金属板や合成樹脂板等の表面にアルミ蒸着等で反射面を形成したものであってもよい。
【０１５０】
また、反射板体を下方に吊り下げ支持する場合に、支持部材と複数の取付部材とは複数のリングを介して連結されているが、強度を高くするためにリベット等で固定されたＵ字状の金具を介して連結されてもよい。
【０１５１】
なお、反射板体と取付部材ともリベット等で固定されたＵ字状の金具を介して連結されてもよい。
【０１５２】
そして、実施の形態３〜５において、反射板体は３本、もしくは４本の取付部材によって下方に吊り下げ支持されているが、支持部材を挟んで対向する位置に取り付けられた一対の取付部材によって吊り下げ支持されてもよい。
【０１５３】
この場合、反射板体を水平に保持しているバランスを崩しやすくなり、僅かな風や振動等であっても容易に振れ動くことが可能となる。さらに、構造が簡素化され、軽量化を図ることもできる。
【０１５４】
特に、取付部材が伸縮性を有さない鎖等の場合には、一方の取付部位が下方に振れると、他方の取付部材が相対的に上方に振れるので、さらに水平状態のバランスを崩しやすくなる。
【０１５５】
そして、強風等の強い力が加わった場合には、反射板体を貫通した支持部材により反射板体の揺れが抑制され、反射板体が振れすぎることを防止することができる。
【０１５６】
【発明の効果】
以上説明してきたように、この発明によれば、反射板体による反射光が確実に上方に向かい、周囲の住民や通行人等反射光を当てて迷惑が生じることをすくなくできる。
【０１５７】
そして、この反射板体の反射面を不規則な方向に向かせることが可能となり、長期間使用しても鳥類が反射光に慣れることはなく鳥害を確実に防止することができ、さらに、構造が簡易で、製造コストを抑制することができる。
【図面の簡単な説明】
【図１】この発明の光反射装置の実施の形態１の一部破断斜視図である。
【図２】この発明の光反射装置の実施の形態１の部分断面正面図である。
【図３】（ａ）この発明の光反射装置の実施の形態２の部分断面正面図である。
（ｂ）図３（ａ）のＡの拡大図である。
【図４】この発明の光反射装置の実施の形態３の一部破断斜視図である。
【図５】この発明の光反射装置の実施の形態４の斜視図である。
【図６】この発明の光反射装置の実施の形態５の斜視図である。
【図７】従来の光反射装置の一実施例の斜視図である。
【図８】従来の光反射装置の一実施例の部分断面正面図である。
【符号の説明】
１０            光反射装置
１１            反射板体
１１ａ          反射面
１２            支持部材
１３            コイルスプリング（取付部材）
【図１】
0003903135.tif 000002
【図２】
0003903135.tif 000003
【図３】
0003903135.tif 000004
【図４】
0003903135.tif 000005
【図５】
0003903135.tif 000006
【図６】
0003903135.tif 000007
【図７】
0003903135.tif 000008
【図８】
0003903135.tif 000009